(57)【要約】【課題】ビームを偏向走査する偏向器を備えた光走査装置であって、偏向器に埃が付着することを効果的に防止することができる光走査装置及びそれを備えた画像形成装置を提供する。【解決手段】光走査装置は、ビームを偏向走査する偏向器と、ビームの進行方向において偏向器よりも上流側の入射光学系を構成する入射光学系部材と、偏向器にて偏向走査されて被走査面に向かうビームが通過するｆθレンズと、偏向器、入射光学系部材及びｆθレンズが設けられる第１筐体と、第１筐体の内部を塞ぐ第２筐体と、入射光学系部材、ｆθレンズ、第１筐体及び第２筐体で偏向器を囲む空間を防塵する防塵部材とを備えている。【選択図】図４
2019128486.tif 000002
【特許請求の範囲】
【請求項１】
ビームを偏向走査する偏向器と、
前記ビームの進行方向において前記偏向器よりも上流側の入射光学系を構成する入射光学系部材と、
前記偏向器にて偏向走査されて被走査面に向かう前記ビームが通過するｆθレンズと、
前記偏向器、前記入射光学系部材及び前記ｆθレンズが設けられる第１筐体と、
前記第１筐体の内部を塞ぐ第２筐体と、
前記入射光学系部材、前記ｆθレンズ、前記第１筐体及び前記第２筐体で前記偏向器を囲む空間を防塵する防塵部材と
を備えていることを特徴とする光走査装置。
【請求項２】
請求項１に記載の光走査装置であって、
前記防塵部材は、前記入射光学系部材及び前記ｆθレンズと前記第２筐体との間に設けられた第１弾性部材を含むことを特徴とする光走査装置。
【請求項３】
請求項２に記載の光走査装置であって、
前記第１筐体の外周部には、外周側壁が設けられ、
前記防塵部材は、前記外周側壁の外周内壁面に設けられ、前記第１筐体の底面に立設した第１リブをさらに含み、前記第１弾性部材は、前記空間の内側及び／又は外側で前記第１リブと重なることを特徴とする光走査装置。
【請求項４】
請求項２又は請求項３に記載の光走査装置であって、
前記入射光学系部材は、前記第１弾性部材と接触する部分が平面であることを特徴とする光走査装置。
【請求項５】
請求項２から請求項４までの何れか１つに記載の光走査装置であって、
前記防塵部材は、前記第１筐体の底面に立設され、前記ｆθレンズと前記入射光学系部材との間に連設される第２リブをさらに含むことを特徴とする光走査装置。
【請求項６】
請求項５に記載の光走査装置であって、
前記第２リブは、複数のリブを交差させた交差リブを構成していることを特徴とする光走査装置。
【請求項７】
請求項２から請求項５までの何れか１つに記載の光走査装置であって、
前記第１筐体の外周部には、外周側壁が設けられ、
前記防塵部材は、前記第１筐体の底面に立設されて前記入射光学系部材と前記第１筐体の前記外周側壁の外周内壁面との間に連設される第３リブをさらに含むことを特徴とする光走査装置。
【請求項８】
請求項１から請求項７までの何れか１つに記載の光走査装置であって、
前記防塵部材は、前記ｆθレンズと前記第１筐体の底面との間に設けられた第２弾性部材をさらに含むことを特徴とする光走査装置。
【請求項９】
請求項１から請求項８までの何れか１つに記載の光走査装置を備えたことを特徴とする画像形成装置。
【発明の詳細な説明】
【技術分野】
【０００１】
本発明は、ビームを偏向走査する偏向器を備えた光走査装置及びそれを備えた複写機、複合機、プリンタ装置、ファクシミリ装置等の画像形成装置に関する。
【背景技術】
【０００２】
ビームを偏向走査する偏向器を備えた光走査装置では、内部に埃が入ってレンズ系の部材や偏向器に埃が付着すると、形成される画像に影響が出る。レンズ系の部材に埃が付着した場合、レンズ系の部材を清掃することで、不都合が解消される。ところが、偏向器（反射面）に埃が付着すると、偏向器を拭くことができず、また、エアーで埃を吹き飛ばすことも困難である。従って、偏向器に埃が付着することを防止することが要求されている。この点に関し、特許文献１は、ｆθレンズとふた部材との間に防塵部材を設ける構成を開示している。
【先行技術文献】
【特許文献】
【０００３】
【特許文献１】特開平１１−１８３８１８号公報
【発明の概要】
【発明が解決しようとする課題】
【０００４】
しかしながら、特許文献１に記載の構成では、光源、コリメータレンズやシリンドリカルレンズといった入射光学系部材を含む入射光学系から埃が侵入し、偏向器に埃が付着することを防止する構成にはなっていない。
【０００５】
そこで、本発明は、ビームを偏向走査する偏向器を備えた光走査装置であって、偏向器に埃が付着することを効果的に防止することができる光走査装置及びそれを備えた画像形成装置を提供することを目的とする。
【課題を解決するための手段】
【０００６】
前記課題を解決するために、本発明に係る光走査装置は、ビームを偏向走査する偏向器と、前記ビームの進行方向において前記偏向器よりも上流側の入射光学系を構成する入射光学系部材と、前記偏向器にて偏向走査されて被走査面に向かう前記ビームが通過するｆθレンズと、前記偏向器、前記入射光学系部材及び前記ｆθレンズが設けられる第１筐体と、前記第１筐体の内部を塞ぐ第２筐体と、前記入射光学系部材、前記ｆθレンズ、前記第１筐体及び前記第２筐体で前記偏向器を囲む空間を防塵する防塵部材とを備えていることを特徴とする。本発明に係る画像形成装置は、前記本発明に係る光走査装置を備えたことを特徴とする。
【発明の効果】
【０００７】
本発明によると、偏向器に埃が付着することを効果的に防止することが可能となる。
【図面の簡単な説明】
【０００８】
【図１】本発明の実施の形態に係る光走査装置を備えた画像形成装置を正面から視た概略断面図である。
【図２】光走査装置及び被走査面を正面側の斜め上方から視た斜視図である。
【図３】光走査装置の第２筐体を開いた状態を示す斜視図である。
【図４】光走査装置を右側面側の斜め上方から視た分解斜視図である。
【図５】図３に示す光走査装置を右側面側の斜め上方から視た斜視図である。
【図６】図３に示す光走査装置を左側面側の斜め上方から視た斜視図である。
【図７】図３に示す光走査装置を上から視た平面図である。
【図８】図７に示す光走査装置において第１弾性部材を取り外した状態を示す平面図である。
【図９】図８に示す光走査装置においてｆθレンズを取り外した状態を右側面側の斜め上方から視た分解斜視図である。
【図１０】図８に示す光走査装置においてｆθレンズ及び第２弾性部材を取り外した状態を右側面側の斜め上方から視た分解斜視図である。
【発明を実施するための形態】
【０００９】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１０】
［画像形成装置］
図１は、本発明の実施の形態に係る光走査装置２００を備えた画像形成装置１００を正面から視た概略断面図である。本実施の形態に係る画像形成装置１００は、モノクロ画像形成装置である。画像形成装置１００は、画像読取装置１により読み取られた画像データ、又は、外部から伝達された画像データに応じて、画像形成処理を行う。なお、画像形成装置１００は、用紙Ｐに対して多色及び単色の画像を形成するカラー画像形成装置であってもよい。
【００１１】
画像形成装置１００は、原稿送り装置１０８と、画像形成装置本体１１０とを備えている。画像形成装置本体１１０には、画像形成部１０２と用紙搬送系１０３とが設けられている。
【００１２】
画像形成部１０２は、光走査装置２００（具体的には光走査ユニット）、現像ユニット２、静電潜像担持体として作用する感光体ドラム３、クリーニング部４、帯電装置５及び定着ユニット７を備えている。これらの構成部材は、画像形成装置１００の本体フレーム１０１に支持されている。また、用紙搬送系１０３は、給紙トレイ８１、手差し給紙トレイ８２、排出ローラ３１及び排出トレイ１４を備えている。
【００１３】
画像形成装置本体１１０の上部には、原稿Ｇの画像を読み取るための画像読取装置１が設けられている。画像読取装置１は、原稿Ｇが載置される原稿載置台１０７を備えている。原稿載置台１０７は、透明の強化ガラスからなる四角形状ものとされている。また、原稿載置台１０７の上側には原稿送り装置１０８が設けられている。画像形成装置１００では、画像読取装置１で読み取られた原稿Ｇの画像は、画像データとして画像形成装置本体１１０に送られ、用紙Ｐ上に画像が記録される。
【００１４】
画像形成装置本体１１０には用紙搬送路Ｗ１が設けられている。給紙トレイ８１又は手差し給紙トレイ８２は、用紙Ｐを用紙搬送路Ｗ１に供給する。用紙搬送路Ｗ１は、用紙Ｐを転写ローラ１０及び定着ユニット７を経て排出トレイ１４に導く。定着ユニット７は、用紙Ｐ上に形成されたトナー像を用紙Ｐに加熱定着する。用紙搬送路Ｗ１の近傍には、ピックアップローラ１１ａ，１１ｂ、搬送ローラ１２ａ、レジストローラ１３、転写ローラ１０、定着ユニット７におけるヒートローラ７１及び加圧ローラ７２、排出ローラ３１が配設されている。
【００１５】
画像形成装置１００では、給紙トレイ８１又は手差し給紙トレイ８２にて供給された用紙Ｐはレジストローラ１３まで搬送される。次に、用紙Ｐはレジストローラ１３により用紙Ｐと感光体ドラム３上のトナー像とを整合するタイミングで転写ローラ１０に搬送される。感光体ドラム３上のトナー像は転写ローラ１０により用紙Ｐ上に転写される。その後、用紙Ｐは定着ユニット７におけるヒートローラ７１及び加圧ローラ７２に通過し、搬送ローラ１２ａ及び排出ローラ３１を経て排出トレイ１４上に排出される。用紙Ｐの表面だけでなく、裏面に画像形成を行う場合は、用紙Ｐは排出ローラ３１から反転用紙搬送路Ｗ２へ逆方向に搬送される。用紙Ｐは反転搬送ローラ１２ｂ〜１２ｂを経て用紙Ｐの表裏を反転してレジストローラ１３へ再度導かれる。そして、用紙Ｐは、表面と同様にして、裏面にトナー像が形成されて定着された後、排出トレイ１４へ向けて排出される。
【００１６】
［光走査装置］
図２は、光走査装置２００及び被走査面Ｆを正面側の斜め上方から視た斜視図である。図３は、光走査装置２００の第２筐体２０２を開いた状態を示す斜視図である。なお、図において、符号Ｘは主走査方向（この例では奥行方向）、符号Ｘ１，Ｘ２はそれぞれ一方側（背面側）、他方側（正面側）を表している。符号Ｙは主走査方向Ｘに直交する副走査方向（この例では上下方向、鉛直方向）を表している。符号Ｚは主走査方向Ｘ及び副走査方向Ｙの双方に直交する直交方向（この例正面から視て左右方向）、符号Ｚ１，Ｚ２はそれぞれ一方側（正面から視て右側）、他方側（正面から視て左側）を表している。
【００１７】
光走査装置２００は、入射光学系２２０と、偏向器２３０と、出射光学系２４０と、検知部２５０とを備えている。入射光学系２２０は、ビームＢＭの進行方向において偏向器２３０の上流側に配設されている。入射光学系２２０は、ビームＢＭを偏向器２３０に入射させる。偏向器２３０は、ビームＢＭを主走査方向Ｘに偏向走査する。出射光学系２４０は、ビームＢＭの光路上において偏向器２３０と被走査面Ｆ（この例では感光体ドラム３の表面）との間に配設されている。出射光学系２４０は、偏向器２３０にて偏向走査されたビームＢＭを被走査面Ｆ上に照射する。検知部２５０は、偏向器２３０にて偏向走査されたビームＢＭを検知する。入射光学系２２０、偏向器２３０、出射光学系２４０及び検知部２５０は、第１筐体２０１（筐体の一例）に収容されている。
【００１８】
光走査装置２００では、入射光学系２２０からのビームＢＭを偏向器２３０に入射させ、偏向器２３０にて主走査方向Ｘに偏向走査させ、検知部２５０にて検出しつつ出射光学系２４０を介して感光体ドラム３の表面の被走査面Ｆ上に画像情報を書き込む。なお、ビームＢＭは、被走査面Ｆを主走査方向Ｘに定期的に走査するが、感光体ドラム３は回転方向Ｂ（図２参照）に回転しているため、感光体ドラム３上の副走査方向Ｙにも走査することができる。
【００１９】
（入射光学系）
入射光学系２２０は、ビームＢＭを偏向器２３０の反射面２３１ａに照射する。入射光学系２２０は、光源部２１０と、コリメータレンズ２２１と、アパーチャ部材２２２と、シリンドリカルレンズ２２３とを備えている。
【００２０】
光源部２１０は、光源２１１を備えている。光源２１１は、ビームＢＭを出射するレーザダイオード等の半導体レーザ素子からなっている。光源２１１は、画像データに応じて変調されたビームＢＭを射出する。光源２１１は、光軸に垂直なビーム断面が円形状のビームＢＭを出射する。光源２１１は、基板２６０に搭載されている。
【００２１】
コリメータレンズ２２１は、光源２１１から出射されたビームＢＭを平行に整形する光学部品である。アパーチャ部材２２２は、主走査方向Ｘに長いスリット状の開口２２２ａが形成された板状部材である。アパーチャ部材２２２は、コリメータレンズ２２１からのビームＢＭが通過するときにビーム断面を矩形状に整形する光学部品である。シリンドリカルレンズ２２３は、アパーチャ部材２２２からのビームＢＭを偏向器２３０の反射面２３１ａに向けて収束させる光学部品である。
【００２２】
（偏向器）
偏向器２３０は、この例では、ポリゴンミラー２３１（回転多面鏡）と、ポリゴンミラー２３１を回転駆動する駆動モータ２３２とを備えている。ポリゴンミラー２３１は、駆動モータ２３２の回転軸２３２ａに固定されている。ポリゴンミラー２３１は、周囲に回転軸２３２ａに沿った複数の反射面２３１ａを有している。駆動モータ２３２は、一定の回転方向Ｅへ一定の回転速度で回転する。これにより、ポリゴンミラー２３１は、反射面２３１ａに入射したビームＢＭを主走査方向Ｘに偏向走査することができる。
【００２３】
（反射光学系）
出射光学系２４０は、主走査方向Ｘに繰り返し走査されるビームＢＭを被走査面Ｆ〜Ｆ上に照射する。出射光学系２４０は、ｆθレンズ２４１を備えている。ｆθレンズ２４１は、偏向器２３０にて偏向走査されて被走査面Ｆに向かうビームＢＭが通過する。ビームＢＭの走査領域αは、ビームＢＭが被走査面Ｆに照射する領域である。ｆθレンズ２４１は、主走査方向Ｘに長くされた棒状に形成されている。
【００２４】
ｆθレンズ２４１は、偏向器２３０の反射面２３１ａから出射されて等角速度で移動するビームＢＭが被走査面Ｆ上を等速度で移動するように補正する機能を有する。また、ｆθレンズ２４１は、ビームＢＭを被走査面Ｆ上に収束させる機能を有する。
【００２５】
（検知部）
検知部２５０は、ビーム検知用レンズ２５１と、ビーム検知部２５２（具体的には半導体光センサ）とを備えている。ビーム検知用レンズ２５１は、偏向器２３０の反射面２３１ａで反射されてｆθレンズ２４１を通過してくるビームＢＭをビーム検知部２５２に向けて屈曲させる機能を有する。また、ビーム検知用レンズ２５１は、ビームＢＭをビーム検知部２５２に集光する機能を有する。ビーム検知部２５２は、ビーム検知用レンズ２５１からのビームＢＭを走査領域αの外側で検知する。ビーム検知部２５２は、ビーム検知用レンズ２５１で集光されたビームＢＭを光電変換する。この例では、ビーム検知部２５２は、ビームＢＭの走査タイミング（具体的には被走査面Ｆへの画像の書き込みタイミング）を制御するためのビーム検出（ＢＤ：Ｂｅａｍ  Ｄｅｔｅｃｔ）センサとされている。
【００２６】
詳しくは、検知部２５０は、被走査面Ｆへの走査領域αの外側に配設されている。ビーム検知用レンズ２５１は、走査領域αの外側でのビームＢＭの光路上に配設されている。ビーム検知部２５２は、ビーム検知用レンズ２５１からのビームＢＭを入射する。ビーム検知部２５２は、基板２６０に搭載されている。
【００２７】
（基板）
基板２６０は、光源２１１及びビーム検知部２５２を同一の基板面２６１に搭載する。こうすることで、光源用の基板とビーム検知部用の基板とを１枚の基板で共用することができる。これにより、低コスト化を実現させることができる。また、第１筐体２０１には、光源用開口２０１ｂと、ビーム検知用開口２０１ｃとが設けられている。光源用開口２０１ｂは、光源２１１から出射されるビームＢＭを通過させる。ビーム検知用開口２０１ｃは、ビーム検知部２５２に入射されるビームＢＭを通過させる。基板２６０は、第１筐体２０１の外側から、光源２１１が光源用開口２０１ｂに臨み、かつ、ビーム検知部２５２がビーム検知用開口２０１ｃに臨むように第１筐体２０１の外側から第１筐体２０１に設けられている。こうすることで、第１筐体２０１内の基板を設けるためのスペースを削減することができる。これにより、光走査装置のさらなる小型化を実現させることができる。
【００２８】
詳しくは、第１筐体２０１の外周部には、外周側壁２０１ｅが設けられている。第１筐体２０１は、コリメータレンズ２２１、アパーチャ部材２２２、シリンドリカルレンズ２２３、偏向器２３０、ｆθレンズ２４１及びビーム検知用レンズ２５１を収容している。光源用開口２０１ｂ及びビーム検知用開口２０１ｃは、外周側壁２０１ｅに設けられている。基板２６０は、光源２１１及びビーム検知部２５２の搭載側が第１筐体２０１の外周側壁２０１ｅに向くように設けられている。そして、光源２１１は、光源用開口２０１ｂ内に位置し、ビーム検知部２５２は、ビーム検知用開口２０１ｃ内に位置している。これにより、光源２１１からのビームＢＭをコリメータレンズ２２１に向けて出射させることができる。また、ビーム検知用レンズ２５１からのビームＢＭをビーム検知部２５２に入射させることができる。
【００２９】
（筐体）
第１筐体２０１には、偏向器２３０にて偏向走査されたビームＢＭを走査領域αで出射する開口２０１ａが設けられている。この例では、開口２０１ａは、外部に開放している。また、光源２１１と光源用開口２０１ｂとの間には隙間が開いている。従って、光走査装置２００は、外部からの空気が開口２０１ａや光源２１１と光源用開口２０１ｂとの間の隙間から内部に流通するようになっている。そうすると、光走査装置２００では、内部に埃が入り易い。そして、レンズ系の部材や偏向器に埃が付着すると、形成される画像に影響が出易い。レンズ系の部材に埃が付着した場合、レンズ系の部材を清掃することで、不都合が解消される。ところが、偏向器２３０（反射面２３１ａ）に埃が付着すると、偏向器２３０を拭くことができず、また、エアーで埃を吹き飛ばすことも困難である。従って、偏向器２３０に埃が付着することを防止することが要求されている。
【００３０】
かかる観点から、本実施の形態に係る光走査装置２００は、第１筐体２０１と、第２筐体２０２と、防塵部材２７０とを備えている。
【００３１】
図４は、光走査装置２００を右側面側の斜め上方から視た分解斜視図である。図５は、図３に示す光走査装置２００を右側面側の斜め上方から視た斜視図である。図６は、図３に示す光走査装置２００を左側面側の斜め上方から視た斜視図である。図７は、図３に示す光走査装置２００を上から視た平面図である。また、図８は、図７に示す光走査装置２００において第１弾性部材を取り外した状態を示す平面図である。
【００３２】
第１筐体２０１には、偏向器２３０、入射光学系部材２８０及びｆθレンズ２４１が設けられている。第２筐体２０２は、第１筐体２０１の内部を塞ぐ。防塵部材２７０は、入射光学系部材２８０、ｆθレンズ２４１、第１筐体２０１及び第２筐体２０２で偏向器２３０を囲む空間ＳＰを防塵する。ここで、入射光学系部材２８０としては、光源２１１、コリメータレンズ２２１、アパーチャ部材２２２及びシリンドリカルレンズ２２３等の部材を例示できる。この例では、入射光学系部材２８０は、シリンドリカルレンズ２２３とされている。
【００３３】
本実施の形態によれば、防塵部材２７０は、入射光学系部材２８０、ｆθレンズ２４１、第１筐体２０１及び第２筐体２０２で偏向器２３０を囲む空間ＳＰを防塵する。従って、空間ＳＰ内に埃が侵入しないようにすることができる。これにより、偏向器２３０に埃が付着することを効果的に防止することができる。
【００３４】
（第１実施形態）
本実施の形態において、防塵部材２７０は、第１弾性部材２７１を含んでいる。第１弾性部材２７１は、入射光学系部材２８０及びｆθレンズ２４１と第２筐体２０２との間に設けられている。こうすることで、第１弾性部材２７１により入射光学系部材２８０及びｆθレンズ２４１と第２筐体２０２との間の隙間を塞ぐことができる。これにより、入射光学系部材２８０及びｆθレンズ２４１と第２筐体２０２との間からの埃の侵入を効果的に防止することができる。
【００３５】
詳しくは、第１筐体２０１の外周部には、外周側壁２０１ｅが設けられている。第１弾性部材２７１は、両端面が外周側壁２０１ｅの外周内壁面２０１ｆに対向して近接又は接触するようになっていてもよいし、外周内壁面２０１ｆに設けられたリブと対向して近接又は接触するようになっていてもよい。
【００３６】
第１弾性部材２７１は、第２筐体２０２が第１筐体２０１から取り外されている状態では第１筐体２０１の第２筐体２０２を取り付けるための高さ位置Ｈ１よりも突出している。また、第１弾性部材２７１は、第２筐体２０２が第１筐体２０１に取り付けられている状態ではｆθレンズ２４１及び入射光学系部材２８０と第２筐体２０２との間で弾性変形した状態で圧縮されている。こうすることで、第１弾性部材２７１を入射光学系部材２８０及びｆθレンズ２４１と第２筐体２０２とに隙間なく設けることができる。これにより、第１弾性部材２７１を入射光学系部材２８０及びｆθレンズ２４１と第２筐体２０２とに確実に密着させることができる。ひいては、入射光学系部材２８０及びｆθレンズ２４１と第１弾性部材２７１との間の隙間、並びに、第１弾性部材２７１と第２筐体２０２との間の隙間からの埃の侵入をさらに効果的に防止することができる。第１弾性部材２７１の材料としては、特に限定されるものではなく、一般に用いられる弾性材料や発泡材料を用いることができる。発泡材料としては、例えば、ポリウレタン、イソプレンゴム（ＩＲ）、ニトリルゴム（ＮＢＲ）、エチレン・プロピレン・ジエンゴム（ＦＰＤＭ）などの有機ゴム等、或いは、ポリエチレン、ポリエステル樹脂、ポリプロピレン、ポリアミド、ポリウレタン、エポキシ樹脂の少なくとも一つを用いた発泡材料を用いることができる。
【００３７】
（第２実施形態）
本実施の形態において、外周側壁２０１ｅの外周内壁面２０１ｆには、第１筐体２０１の底面２０１ｄに立設した第１リブ２７２が設けられている。防塵部材２７０は、第１リブ２７２をさらに含んでいる。第１弾性部材２７１は、空間ＳＰの内側及び／又は外側で第１リブ２７２と重なっている。こうすることで、第１弾性部材２７１と第１リブ２７２との防塵部材２７０の２重構造により入射光学系部材２８０及びｆθレンズ２４１と外周内壁面２０１ｆとの間の隙間を有効に塞ぐことができる。これにより、入射光学系部材２８０及びｆθレンズ２４１と外周側壁２０１ｅとの間からの埃の侵入を効果的に防止することができる。この例では、第１弾性部材２７１の一端部は、空間ＳＰの外側で第１リブ２７２と接触した状態で重なっている。第１弾性部材２７１の他端部は、空間ＳＰの内側で第１リブ２７２と接触した状態で重なっている。
【００３８】
本実施の形態において、入射光学系部材２８０は、第１弾性部材２７１と接触する部分が平面である。こうすることで、第１弾性部材２７１を入射光学系部材２８０に隙間なく設けることができる。これにより、第１弾性部材を入射光学系部材２８０に確実に密着させることができる。ひいては、第１弾性部材２７１と入射光学系部材２８０との間の隙間からの埃の侵入をさらに効果的に防止することができる。この例では、入射光学系部材２８０は、シリンドリカルレンズ２２３であり、シリンドリカルレンズ２２３の上面が平面となっている。
【００３９】
なお、第１弾性部材２７１は、コリメータレンズ２２１及び／又はアパーチャ部材２２２及びｆθレンズ２４１と第２筐体２０２との間に設けられていてもよい。また、第１弾性部材２７１は、光源２１１及びｆθレンズ２４１と第２筐体２０２との間に設けられていてもよい。
【００４０】
（第３実施形態）
本実施の形態において、第１筐体２０１の底面２０１ｄには、第２リブ２７３が立設されている。防塵部材２７０は、第２リブ２７３をさらに含んでいる。第２リブ２７３は、ｆθレンズ２４１と入射光学系部材２８０との間に連設されている。こうすることで、ｆθレンズ２４１と入射光学系部材２８０との間の隙間を塞ぐことができる。これにより、ｆθレンズ２４１と入射光学系部材２８０との間からの埃の侵入を有効に回避することができる。
【００４１】
本実施の形態において、第２リブ２７３は、複数のリブ２７３ａ〜２７３ａを交差させた交差リブを構成している。こうすることで、第２リブ２７３を構成する交差リブの中心部分で第１弾性部材２７１を載置させ易くすることができる。これにより、第１弾性部材２７１を第２リブ２７３に安定的に密着させることができる。
【００４２】
（第４実施形態）
本実施の形態において、第１筐体２０１の底面２０１ｄには、第３リブ２７４が立設されている。防塵部材２７０は、第３リブ２７４をさらに含んでいる。第３リブ２７４は、入射光学系部材２８０と外周側壁２０１ｅの外周内壁面２０１ｆとの間に連設されている。こうすることで、入射光学系部材２８０と外周側壁２０１ｅの外周内壁面２０１ｆとの間の隙間を塞ぐことができる。これにより、入射光学系部材２８０と外周側壁２０１ｅの外周内壁面２０１ｆとの間からの埃の侵入を有効に回避することができる。
【００４３】
入射光学系部材２８０、ｆθレンズ２４１、第１リブ２７２から第３リブ２７４は、第１弾性部材２７１の第２筐体２０２とは反対側の面と接触する部分が何れも同一又は略同一高さの平面である。こうすることで、第１弾性部材２７１を入射光学系部材２８０、ｆθレンズ２４１、第１リブ２７２から第３リブ２７４に同一又は略同一平面上に隙間なく設けることができる。これにより、第１弾性部材２７１を同一又は略同一平面に沿わせた状態で入射光学系部材２８０、ｆθレンズ２４１、第１リブ２７２から第３リブ２７４に確実に密着させることができる。ひいては、第１弾性部材２７１と入射光学系部材２８０、ｆθレンズ２４１、第１リブ２７２から第３リブ２７４との間の隙間からの埃の侵入をより一層効果的に防止することができる。
【００４４】
（第５実施形態）
図９は、図８に示す光走査装置２００においてｆθレンズ２４１を取り外した状態を右側面側の斜め上方から視た分解斜視図である。また、図１０は、図８に示す光走査装置２００においてｆθレンズ２４１及び第２弾性部材２７５を取り外した状態を右側面側の斜め上方から視た分解斜視図である。
【００４５】
第１筐体２０１の底面２０１ｄのｆθレンズ２４１に対応する箇所には、１又は複数（この例では２つ）の位置決め部２０１ｇ，２０１ｇが部分的に設けられている。位置決め部２０１ｇ，２０１ｇは、ｆθレンズ２４１の高さ方向（副走査方向Ｙ）における位置を規定する。位置決め部２０１ｇ，２０１ｇは、第１筐体２０１の底面２０１ｄから突出している。そうすると、ｆθレンズ２４１と第１筐体２０１の底面２０１ｄとの間の位置決め部２０１ｇ，２０１ｇによる隙間から埃が侵入し易い。
【００４６】
この点、本実施の形態において、防塵部材２７０は、第２弾性部材２７５をさらに含んでいる。第２弾性部材２７５は、ｆθレンズ２４１と第１筐体２０１の底面２０１ｄとの間に設けられている。こうすることで、第２弾性部材２７５によりｆθレンズ２４１と第１筐体２０１の底面２０１ｄとの間の隙間を塞ぐことができる。これにより、ｆθレンズ２４１と第１筐体２０１の底面２０１ｄとの間からの埃の侵入を効果的に防止することができる。
【００４７】
詳しくは、第１筐体２０１の底面２０１ｄには、第４リブ２７６が立設されている。第４リブ２７６は、ｆθレンズ２４１の偏向器２３０側の面に沿って延びている。第４リブ２７６は、高さが位置決め部２０１ｇ，２０１ｇの高さよりも高くなっている。第２弾性部材２７５は、第４リブ２７６と位置決め部２０１ｇ，２０１ｇとの間に設けられている。
【００４８】
第２弾性部材２７５は、ｆθレンズ２４１が第１筐体２０１から取り外されている状態では位置決め部２０１ｇ，２０１ｇの高さ位置Ｈ２よりも突出している。また、第２弾性部材２７５は、ｆθレンズ２４１が第１筐体２０１に取り付けられている状態ではｆθレンズ２４１と第１筐体２０１の底面２０１ｄとの間で弾性変形した状態で圧縮されている。こうすることで、第２弾性部材２７５をｆθレンズ２４１と第１筐体２０１の底面２０１ｄとに隙間なく設けることができる。これにより、第２弾性部材２７５をｆθレンズ２４１と第１筐体２０１の底面２０１ｄとに確実に密着させることができる。ひいては、ｆθレンズ２４１と第２弾性部材２７５との間の隙間、並びに、第２弾性部材２７５と第１筐体２０１の底面２０１ｄとの間の隙間からの埃の侵入をさらに効果的に防止することができる。第２弾性部材２７５の材料としては、第１弾性部材２７１の材料と同様の材料を用いることができる。しかも、第２弾性部材２７５と第４リブ２７６との防塵部材２７０の２重構造によりｆθレンズ２４１と第１筐体２０１の底面２０１ｄとの間の隙間を有効に塞ぐことができる。これにより、ｆθレンズ２４１と第１筐体２０１の底面２０１ｄとの間からの埃の侵入を効果的に防止することができる。
【００４９】
（その他の実施の形態）
本実施の形態において、第１筐体２０１の開口２０１ａには、ガラス等の透明板が設けられて開口２０１ａを塞ぐようになっていてもよい。また、光源２１１と光源用開口２０１ｂとの間の隙間が塞がれていてもよい。
【００５０】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５１】
１００    画像形成装置
２００    光走査装置
２０１    第１筐体
２０１ａ  開口
２０１ｂ  光源用開口
２０１ｃ  ビーム検知用開口
２０１ｄ  底面
２０１ｅ  外周側壁
２０１ｆ  外周内壁面
２０１ｇ  位置決め部
２０２    第２筐体
２１０    光源部
２１１    光源
２２０    入射光学系
２２１    コリメータレンズ
２２２    アパーチャ部材
２２３    シリンドリカルレンズ
２３０    偏向器
２３１    ポリゴンミラー
２３１ａ  反射面
２４０    出射光学系
２４１    ｆθレンズ
２５０    検知部
２５１    ビーム検知用レンズ
２５２    ビーム検知部
２６０    基板
２６１    基板面
２７０    防塵部材
２７１    第１弾性部材
２７２    第１リブ
２７３    第２リブ
２７３ａ  複数のリブ
２７４    第３リブ
２７５    第２弾性部材
２７６    第４リブ
２８０    入射光学系部材
ＢＭ      ビーム
Ｆ        被走査面
ＳＰ      空間
Ｘ        主走査方向
Ｙ        副走査方向
α        走査領域
【図１】
2019128486.tif 000003
【図２】
2019128486.tif 000004
【図３】
2019128486.tif 000005
【図４】
2019128486.tif 000006
【図５】
2019128486.tif 000007
【図６】
2019128486.tif 000008
【図７】
2019128486.tif 000009
【図８】
2019128486.tif 000010
【図９】
2019128486.tif 000011
【図１０】
2019128486.tif 000012